(57)【要約】【課題】  低背圧化要求に大きな影響を及ぼすことなしに、気流音（噴流音）の発生を抑制することができる車両用排気系におけるテールパイプ構造の提供。【解決手段】  テールパイプ１の下流側開口部にテールパイプ１より拡径された大径のフィニッシャー２が設けられた車両用排気系におけるテールパイプ構造において、フィニッシャー３内にテールパイプ１から流れ込む排気ガスを中央部の本流路Ａと外周拡径部の分岐流路Ｂとに分流する分岐隔壁３が設けられ、分岐隔壁３の途中で本流路Ａを流れる排気ガス音の波動と分岐流路Ｂを流れる排気ガス音の波動との位相が互いにずれた位置には分岐流路と本流路Ａとを連通する連通穴３ｃが形成される。【選択図】      図１
2005256644.tif 000002
【特許請求の範囲】
【請求項１】
テールパイプの下流側開口部に該テールパイプより拡径された大径のフィニッシャーが設けられた車両用排気系におけるテールパイプ構造において、
前記フィニッシャー内に前記テールパイプから流れ込む排気ガスを中央部の本流路と外周拡径部の分岐流路とに分流する分岐隔壁が設けられ、
該分岐隔壁の途中で前記本流路を流れる排気ガス音の波動と前記分岐流路を流れる排気ガス音の波動との位相が互いにずれた位置には前記分岐流路と本流路とを連通する連通穴が形成されていることを特徴とする車両用排気系におけるテールパイプ構造。
【請求項２】
請求項１に記載の車両用排気系におけるテールパイプ構造において、前記連通穴が前記分岐隔壁の周方向所定間隔のもとに複数形成されていることを特徴とする車両用排気系におけるテールパイプ構造。
【請求項３】
請求項１に記載の車両用排気系におけるテールパイプ構造において、前記連通穴が前記分岐隔壁の周方向全長に亘って環状に形成されていることを特徴とする車両用排気系におけるテールパイプ構造。
【発明の詳細な説明】
【技術分野】
【０００１】
本発明は、テールパイプの下流側開口部に該テールパイプより大径のフィニッシャーが設けられた車両用排気系におけるテールパイプ構造に関する。
【背景技術】
【０００２】
従来、車両用排気系において、目標背圧を達成させるためや、デザイン性を高める目的で、図５に示すように、テールパイプ１０１の下流側開口部に該テールパイプ１０１より大径のフィニッシャー１０２が設けられたものがある（例えば、特許文献１、２参照。）。
【０００３】
【特許文献１】特開２００２−３６４３３２号公報  （明細書（５）頁、図４、５）
【特許文献２】特開平７−３５７２１号公報  （明細書（５）頁、図１）
【発明の開示】
【発明が解決しようとする課題】
【０００４】
しかしながら、上述のように、テールパイプ１０１の下流側開口部がフィニッシャー１０２により拡開されることにより、排気ガスの流れが拡散され、これが気流音（噴流音）を発生させる要因となっているという問題があった。
【０００５】
本発明の解決しようとする課題は、テールパイプの下流側開口部に該テールパイプより大径のフィニッシャーが設けられた構造のものにおいて、気流騒音（噴流音）のレベルを低下させることができる車両用排気系におけるテールパイプ構造を提供することにある。
【課題を解決するための手段】
【０００６】
上記課題を解決するため請求項１記載の車両用排気系におけるテールパイプ構造は、テールパイプの下流側開口部に該テールパイプより拡径された大径のフィニッシャーが設けられた車両用排気系におけるテールパイプ構造において、前記フィニッシャー内に前記テールパイプから流れ込む排気ガスを中央部の本流路と外周拡径部の分岐流路とに分流する分岐隔壁が設けられ、該分岐隔壁の途中で前記本流路を流れる排気ガス音の波動と前記分岐流路を流れる排気ガス音の波動との位相が互いにずれた位置には前記分岐流路と本流路とを連通する連通穴が形成されていることを特徴とする手段とした。
【０００７】
請求項２に記載の車両用排気系におけるテールパイプ構造は、請求項１に記載の車両用排気系におけるテールパイプ構造において、前記連通穴が前記分岐隔壁の周方向所定間隔のもとに複数形成されていることを特徴とする手段とした。
【０００８】
請求項３に記載の車両用排気系におけるテールパイプ構造は、請求項１に記載の車両用排気系におけるテールパイプ構造において、前記連通穴が前記分岐隔壁の周方向全長に亘って環状に形成されていることを特徴とする手段とした。
【発明の効果】
【０００９】
請求項１記載の車両用排気系におけるテールパイプ構造では、上述のように、前記フィニッシャー内に前記テールパイプから流れ込む排気ガスを中央部の本流路と外周拡径部の分岐流路とに分流する分岐隔壁が設けられ、該分岐隔壁の途中で前記本流路を流れる排気ガス音の波動と前記分岐流路を流れる排気ガス音の波動との位相が互いにずれた位置には前記分岐流路と本流路とを連通する連通穴が形成されている構成としたため、連通穴部分において位相の異なる排気ガスが合流することで互いに打ち消し合うように作用し、これにより、気流騒音のレベルを低下させることができるようになるという効果が得られる。
【００１０】
また、分岐流路は、分岐後に、まず、外周方向へ向けて流れた後に、分岐隔壁とフィニッシャーとの間を流れるため、本流路と比較した場合、排気ガスが曲がった経路を介して大気に放出されることで、実質的に長いテールチューブを設定したのと同様になり、これにより、共鳴特性の改善に低周波領域のこもり音低減に有利となる。
【００１１】
請求項２に記載の車両用排気系におけるテールパイプ構造では、上述のように、前記連通穴が前記分岐隔壁の周方向所定間隔のもとに複数形成されている構成とすることにより、バランスよく気流騒音のレベルを低下させることができるようになる。
【００１２】
請求項３に記載の車両用排気系におけるテールパイプ構造では、上述のように、前記連通穴が前記分岐隔壁の周方向全長に亘って環状に形成されている構成とすることにより、効率よく気流騒音のレベルを低下させることができるようになる。
【発明を実施するための最良の形態】
【００１３】
以下にこの発明の実施例を図面に基づいて説明する。
【実施例１】
【００１４】
この実施例１の車両用排気系におけるテールパイプ構造は、請求項１，２に記載の発明に対応する。
まず、この実施例１の車両用排気系におけるテールパイプ構造を図面に基づいて説明する。
【００１５】
図１はこの実施例１の車両用排気系におけるテールパイプ構造を示す断面図、図２は図１のII−II線における断面図である。
この実施例１の車両用排気系におけるテールパイプ構造は、テールパイプ１と、フィニッシャー２と、分岐隔壁３とを主な構成として備えている。
【００１６】
さらに詳述すると、前記テールパイプ１は、図示を省略した消音器本体の下流側アウタープレートにその先端開口部が接続固定されている。
また、テールパイプ１の下流側開口部には、該テールパイプ１より大径のフィニッシャー２がテーパ部２ａを介して一体に連結され、このフィニッシャー２により、テールパイプ１の下流側開口部が拡開された構造となっている。
【００１７】
そして、前記フィニッシャー２内には、テールパイプ１から流れ込む排気ガスを中央部の本流路Ａと外周拡径部の分岐流路Ｂとに分流する分岐隔壁３が設けられている。
【００１８】
即ち、この分岐隔壁３は、テールパイプ１よりは大径の円筒状本体部３ａと、その上流側端部からフィニッシャー２のテーパ部２ａに沿ってテールパイプ１の内径まで縮径させるテーパ部３ｂとで構成さると共に、円筒状本体部３ａの途中で、本流路Ａを流れる排気ガス音の波動と分岐流路Ｂを流れる排気ガス音の波動との位相が互いにずれた位置には、分岐流路Ｂと本流路Ａとを連通する連通穴３ｃが、周方向等間隔のもとに４箇所に形成されている。
【００１９】
次に、この実施例１の作用・効果を説明する。
この実施例１の車両用排気系におけるテールパイプ構造では、上述のように構成されるため、テールパイプ１に流れ込んだ排気ガスは、フィニッシャー２に流れ込む際に、分岐隔壁３内を流れる中央部の本流路Ａと、分岐隔壁３とフィニッシャー２との間を流れる外周拡径部の分岐流路Ｂとに分流されて流れるが、分岐流路Ｂは、分岐後に、まず、フィニッシャー２のテーパ部２ａと分岐隔壁３のテーパ部３ｂとの間を外周方向へ向けて流れた後に、円筒状フィニッシャー２と円筒状本体部３ａとの間を流れるため、該円筒状フィニッシャー２と円筒状本体部３ａとの間における分岐流路Ｂを流れる排気ガスの波動と本流路Ａを流れる排気ガスの波動との位相が互いにずれた状態となっている。
【００２０】
そこで、波動の位相が互いに異なる分岐流路Ｂを流れる排気ガスと本流路Ａを流れる排気ガスとが、分岐隔壁３の途中に形成された連通穴３ｃを介して合流することによって互いに気流騒音を打ち消し合うように作用することになる。
従って、気流騒音のレベルを低下させることができるようになるという効果が得られる。
【００２１】
また、前記連通穴３ｃが分岐隔壁３の周方向所定間隔のもとに複数（４箇所に）形成されている構成とすることにより、バランスよく気流騒音のレベルを低下させることができるようになる。
また、前記本流路Ａと分岐流路Ｂとに分岐する分岐部の開口面積と、合流部となる連通穴３ｃの開口面積を変えることにより、音のチューニングが容易に行えるようになる。
【００２２】
また、分岐流路Ｂは、分岐後に、まず、フィニッシャー２のテーパ部２ａと分岐隔壁３のテーパ部３ｂとの間を外周方向へ向けて流れた後に、円筒状フィニッシャー２と円筒状本体部３ａとの間を流れるため、本流路Ａと比較した場合、排気ガスが曲がった経路を介して大気に放出されることで、実質的に長いテールチューブを設定したのと同様になり、これにより、共鳴特性の改善に低周波領域のこもり音低減に有利となる。
【００２３】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２４】
この実施例２の車両用排気系におけるテールパイプ構造は、請求項１、３に記載の発明に対応する。
即ち、この実施例２の車両用排気系におけるテールパイプ構造は、図３（実施例２の車両用排気系におけるテールパイプ構造を示す断面図）および図４（図３のIV−IV線における断面図）に示すように、前記連通穴３ｃが分岐隔壁３の周方向全長に亘って環状に形成されている点が、前記実施例１とは相違したものである。
【００２５】
従って、実施例２では、前記実施例１と同様の効果が得られると共に、効率よく気流騒音のレベルを低下させることができるようになる。
【００２６】
以上本実施例を説明してきたが、本発明は上述の実施例に限られるものではなく、本発明の要旨を逸脱しない範囲の設計変更等があっても、本発明に含まれる。
【００２７】
例えば、実施例では、テールパイプ１とフィニッシャー２を一体に形成したが、別体に形成したものを接続させるようにしてもよい。
【００２８】
また、実施例では、連通穴３ｃを排気ガスの流れ方向１箇所に設けたが、複数個所に設けるようにしてもよい。
【図面の簡単な説明】
【００２９】
【図１】実施例１の車両用排気系におけるテールパイプ構造を示す断面図である。
【図２】図１のII−II線における断面図である。
【図３】実施例２の車両用排気系におけるテールパイプ構造を示す断面図である。
【図４】図３IV−IV線における断面図である。
【図５】従来例の車両用排気系におけるテールパイプ構造を示す模式図である。
【符号の説明】
【００３０】
Ａ  本流路
Ｂ  分岐流路
１  テールパイプ
２  フィニッシャー
２ａ  テーパ部
３  分岐隔壁
３ａ  円筒状本体部
３ｂ  テーパ部
３ｃ  連通穴
【図１】
2005256644.tif 000003
【図２】
2005256644.tif 000004
【図３】
2005256644.tif 000005
【図４】
2005256644.tif 000006
【図５】
2005256644.tif 000007